(57)【要約】【課題】１枚のシート状素材から容易に製造可能であると共に、閲覧性および広告宣伝効果を高めた封筒兼用冊子およびその製造方法を提供する。【解決手段】本発明に係る展開ページ付封筒兼用冊子の製造方法は、封筒部１２ａ、１２ｂと、封筒部１２に接続されたページ部１４ａ〜１４ｄと、封筒部１２ａ、１２ｂに接続されたフラップ部１５と、からなるシート状素材３を、１回の曲折ごとに折り幅を拡大または縮小しながらページ部１４ａ〜１４ｄを一端側から蛇腹状に折り畳む第１ステップと、折り畳んだページ部１４ａ〜１４ｄが内側になるように封筒部１２ａ、１２ｂを折り畳む第２ステップと、フラップ部１５を折り畳んで封筒部１２ｂに接着する第３ステップと、からなる。【選択図】図４
2010274919.tif 000002
【特許請求の範囲】
【請求項１】
封筒部と、
前記封筒部に接続されたページ部と、
前記封筒部に接続されたフラップ部と、からなるシート状素材を、
１回の曲折ごとに折り幅を拡大または縮小しながら前記ページ部を一端側から蛇腹状に折り畳む第１ステップと、
折り畳んだ前記ページ部が内側になるように前記封筒部を折り畳む第２ステップと、
前記フラップ部を折り畳んで前記封筒部に接着する第３ステップと、からなることを特徴とする、
展開ページ付封筒兼用冊子の製造方法。
【請求項２】
前記第１ステップの前に、前記シート状素材を所定の形状に切り出す第４ステップをさらに有することを特徴とする、
請求項１に記載の展開ページ付封筒兼用冊子の製造方法。
【請求項３】
前記第４ステップにおいて、前記ページ部の一部を外部から視認可能とする窓部を、前記封筒部に形成することを特徴とする、
請求項２に記載の展開ページ付封筒兼用冊子の製造方法。
【請求項４】
前記窓部は、前記封筒部の折り線の角部分をカットしたコーナーカット部であることを特徴とする、
請求項３に記載の展開ページ付封筒兼用冊子の製造方法。
【請求項５】
前記第４ステップにおいて、前記封筒部の折り線に沿って開封用ミシン目を形成することを特徴とする、
請求項２乃至４のいずれかに記載の展開ページ付封筒兼用冊子の製造方法。
【請求項６】
前記第４ステップにおいて、切取用ミシン目に囲まれた切離し領域を、前記ページ部に形成することを特徴とする、
請求項２乃至５のいずれかに記載の展開ページ付封筒兼用冊子の製造方法。
【請求項７】
請求項１乃至６のいずれかに記載の展開ページ付封筒兼用冊子の製造方法によって製造されることを特徴とする、
展開ページ付封筒兼用冊子。
【発明の詳細な説明】
【技術分野】
【０００１】
本発明は、封筒として郵送可能な冊子およびその製造方法であり、特に展開することが可能なページを備えるものに関する。
【背景技術】
【０００２】
従来、各種案内状において冊子を郵送する場合、冊子を封筒内に収容した上で郵送する必要があった。このため、ダイレクトメールのように一度に大量に発送する場合には、大量の封筒を冊子とは別に用意する必要があると共に、冊子を封筒内に入れる作業が必要となるため、非常にコストと手間がかかるものとなっていた。
【０００３】
これに対し、冊子をそのまま封筒として郵送することが可能な封筒兼用冊子が提案されている（例えば、特許文献１参照）。このように、冊子を封筒と兼用するようにすれば、冊子を封筒内に入れる作業を省略することができるため、ダイレクトメール等の発送のコストを低減することが可能となる。
【先行技術文献】
【特許文献】
【０００４】
【特許文献１】特開平７−３２９９８２号公報
【発明の概要】
【発明が解決しようとする課題】
【０００５】
しかしながら、上記特許文献１に記載の封筒兼用冊子では、三方に封緘フラップを備える表紙を複数枚の紙葉と共に綴じて製本した上で、封緘フラップを貼り付けて封緘する必要があるため、製造方法が複雑となるという問題があった。結果として、ダイレクトメールとして使用するには、多大なコストと手間を要するものとなっていた。
【０００６】
また、封緘フラップ等に複数の開封用ミシン目を形成し、封緘時にこれらを一致させるようにしているため、各ミシン目の位置が少しでもずれている場合には、非常に開封しにくいものとなるという問題があった。このため、ダイレクトメールを受領した者の開封意欲を阻害してしまう場合があり、冊子状にすることで内容を深め、広告宣伝効果を高めているにもかかわらず、受領者に内容を閲覧してもらえない可能性が高くなっていた。
【０００７】
また、封筒を定形郵便寸法にする場合には、冊子部分全体を二つ折りにした上で封緘するため、開封後の冊子に折りぐせが残ってしまい、非常に閲覧しにくいものとなるという問題があった。このため、受領者に内容を見てもらえず、ダイレクトメールの広告宣伝効果を阻害してしまう場合があった。
【０００８】
本発明は、このような問題点に鑑みてなされたものであって、１枚のシート状素材から容易に製造可能であると共に、閲覧性および広告宣伝効果を高めた封筒兼用冊子およびその製造方法を提供しようとするものである。
【課題を解決するための手段】
【０００９】
（１）本発明は、封筒部と、前記封筒部に接続されたページ部と、前記封筒部に接続されたフラップ部と、からなるシート状素材を、１回の曲折ごとに折り幅を拡大または縮小しながら前記ページ部を一端側から蛇腹状に折り畳む第１ステップと、折り畳んだ前記ページ部が内側になるように前記封筒部を折り畳む第２ステップと、前記フラップ部を折り畳んで前記封筒部に接着する第３ステップと、からなることを特徴とする、展開ページ付封筒兼用冊子の製造方法である。
【００１０】
（２）本発明はまた、前記第１ステップの前に、前記シート状素材を所定の形状に切り出す第４ステップをさらに有することを特徴とする、上記（１）に記載の展開ページ付封筒兼用冊子の製造方法である。
【００１１】
（３）本発明はまた、前記第４ステップにおいて、前記ページ部の一部を外部から視認可能とする窓部を、前記封筒部に形成することを特徴とする、上記（２）に記載の展開ページ付封筒兼用冊子の製造方法である。
【００１２】
（４）本発明はまた、前記窓部は、前記封筒部の折り線の角部分をカットしたコーナーカット部であることを特徴とする、上記（３）に記載の展開ページ付封筒兼用冊子の製造方法である。
【００１３】
（５）本発明はまた、前記第４ステップにおいて、前記封筒部の折り線に沿って開封用ミシン目を形成することを特徴とする、上記（２）乃至（４）のいずれかに記載の展開ページ付封筒兼用冊子の製造方法である。
【００１４】
（６）本発明はまた、前記第４ステップにおいて、切取用ミシン目に囲まれた切離し領域を、前記ページ部に形成することを特徴とする、上記（２）乃至（５）のいずれかに記載の展開ページ付封筒兼用冊子の製造方法である。
【００１５】
（７）本発明はまた、上記（１）乃至（６）のいずれかに記載の展開ページ付封筒兼用冊子の製造方法によって製造されることを特徴とする、展開ページ付封筒兼用冊子である。
【発明の効果】
【００１６】
本発明の封筒兼用冊子およびその製造方法によれば、１枚のシート状素材から容易に製造可能であると共に、閲覧性および広告宣伝効果を高めることが可能という優れた効果を奏し得る。
【図面の簡単な説明】
【００１７】
【図１】（ａ）および（ｂ）本発明の第１の実施形態に係る封筒兼用冊子の概略図である。
【図２】（ａ）および（ｂ）本発明の第１の実施形態に係る封筒兼用冊子の概略図である。
【図３】（ａ）および（ｂ）第１の実施形態に係る封筒兼用冊子の製造方法を示した概略図である。
【図４】（ａ）〜（ｄ）封筒兼用冊子の製造方法を示した概略図である。
【図５】（ａ）〜（ｃ）封筒兼用冊子の製造方法を示した概略図である。
【図６】（ａ）および（ｂ）窓部のその他の例を示した概略図である。
【図７】（ａ）本発明の第２の実施形態に係る封筒兼用冊子の概略図である。
【発明を実施するための形態】
【００１８】
以下、本発明の実施の形態を、添付図面を参照して説明する。
【００１９】
まず、本発明の第１の実施形態に係る封筒兼用冊子１について説明する。図１（ａ）および（ｂ）、ならびに図２（ａ）および（ｂ）は、封筒兼用冊子１の概略図である。
【００２０】
図１（ａ）に示されるように、封筒兼用冊子１は、背部１０で綴じられると共に小口部１１が閉塞された冊子であり、外側の封筒部１２と、封筒部１２内部に収容されたページ部１４から構成されている。封筒部１２は、小口部１１において曲折された表表紙部１２ａおよび裏表紙部１２ｂから構成されている。表表紙部１２ａの背部１０側の端部にはフラップ部１５が接続されており、封筒兼用冊子１は、このフラップ部１５を裏表紙部１２ｂに接着することによって、冊子として綴じられると共に、封緘されるようになっている。封筒兼用冊子１の上端および下端は、開封を容易にするために開放されている。
【００２１】
また、表表紙部１２ａおよび裏表紙部１２ｂには、図示は省略するが、例えば差出人の名称および住所や料金後納郵便の表示等の各種情報が予め印刷されている。さらに、表表紙部１２ａの右下角部には、コーナーカットにより形成された窓部１３が設けられている。本実施形態では、このように表表紙部１２ａに窓部１３を設けることによって、封筒兼用冊子１が封緘された状態であっても、内側のページ部１４の一部を視認できるようにしている。そして、この窓部１３を介してページ部１４の一部を視認させることによって、封筒兼用冊子１の受領者の興味を引き、開封して内容を閲覧させるようにしている。すなわち、窓部１３をいわゆるアイキャッチとして機能させることにより、封筒兼用冊子１をダイレクトメール等に使用した場合の広告宣伝効果を高めるようにしている。
【００２２】
この封筒兼用冊子１は、定形郵便の寸法、具体的には縦１４〜２３．５ｃｍ、横９〜１２ｃｍ、厚み１ｃｍ以下に構成されており、定形郵便の安価な料金で郵送できるようになっている。また、小口部１１（折り目部分）には開封用ミシン目が形成されており、この開封用ミシン目に沿って小口部１１を破断することにより、封筒兼用冊子１を開封し、内容を閲覧するようになっている。
【００２３】
この小口部１１の破断は、窓部１３を開封の起点とすることで、容易に行うことができる。すなわち、本実施形態では、窓部１３を上述のアイキャッチとして機能させると共に、封筒兼用冊子１を開封する際の開封の起点としても機能するように構成している。このように、アイキャッチと開封の起点を同一の場所に設けることで、アイキャッチに興味を引かれた受領者を迷わせることなく即座に開封動作に導くことができるため、封筒兼用冊子１の広告宣伝効果をさらに高めることが可能となっている。なお、窓部の周囲または内部に開封の起点であることを示す表示を施すようにしてもよい。
【００２４】
図１（ｂ）は、封筒兼用冊子１を開封した状態を示している。同図に示されるように、ページ部１４は、表表紙部１２ａと裏表紙部１２ｂの間において蛇腹状に折り畳まれた状態で収容されている。具体的には、ページ部１４は、第１ページ部１４ａ、第２ページ部１４ｂ、第３ページ部１４ｃおよび第４ページ部１４ｄから構成されている。各ページ部１４ａ〜１４ｄは、第１ページ部１４ａを最上面（最表面）とし、交互に逆方向に曲折することにより互いに折り重ねられた状態となっている。なお、各ページ部１４ａ〜１４ｄの枚数は４に限定されるものではなく、その他の枚数であってもよい。
【００２５】
また、各ページ部１４ａ〜１４ｄは、高さは全て略同一に構成されているが、第１ページ部１４ａよりも第２ページ部１４ｂの横幅が広く、第２ページ部１４ｂよりも第３ページ部１４ｃの横幅が広く、第３ページ部１４ｃよりも第４ページ部１４ｄの横幅が広く構成されている。また、裏表紙部１２ｂは、第４ページ部１４ｄよりも横幅が広く構成されている。
【００２６】
図２（ａ）は、封筒兼用冊子１を開封し、表表紙部１２ａを開いた状態を示している。同図に示されるように、各ページ部１４ａ〜１４ｄおよび裏表紙部１２ｂは、表表紙部１２ａを開いた場合に、各ページ部１４ａ〜１４ｄが折り畳まれたままの状態であっても、少なくとも左右いずれか一端側近傍の一部の領域を視認することができるようになっている。
【００２７】
本実施形態では、各ページ部１４ａ〜１４ｄおよび裏表紙部１２ｂをこのように構成することによって、ページ部１４を構成する各ページ部１４ａ〜１４ｄの枚数、ならびに各ページ部１４ａ〜１４ｄおよび裏表紙部１２ｂの内容の一部を、折り畳まれた状態のまま、一目で受領者に認識させることを可能としている。そして、これにより、表表紙１２ａを開いた受領者の興味を即座に引きつけることができるため、受領者にページ部１４を展開させてさらに詳細な内容を閲覧させることが可能となる。すなわち、ダイレクトメール等の広告宣伝効果を最大限に発揮することが可能となる。なお、各ページ部１４ａ〜１４ｄまたは裏表紙部１２ｂの視認可能な一端側近傍の領域に、アイキャッチとなる見出しを表示するようにしてもよい。
【００２８】
図２（ｂ）は、封筒兼用冊子１のページ部１４を展開した状態を示している。同図に示されるように、本実施形態では、各ページ部１４ａ〜１４ｄを展開可能に折り畳んで構成することによって、封筒兼用冊子１全体を定形郵便寸法に抑えながらも、ページ面積を大きくすることを可能としている。これにより、封筒兼用冊子１に含める情報量を増やすと共に、閲覧性を高めることができる。
【００２９】
さらに、本実施形態では、各ページ部１４ａ〜１４ｄの内容を、各ページ１４ａ〜１４ｄを個別に開いて閲覧させるように構成するだけではなく、各ページ部１４ａ〜１４ｄを全て展開して１つの大きなページとして閲覧させるように構成することも可能となっている。例えば、各ページ部１４ａ〜１４ｄを見出しに基づいて順番に閲覧するように構成することもできるし、展開した各ページ部１４ａ〜１４ｄ全体に大きな写真や図表を掲載したりすることもできる。このように、本実施形態では、各ページ部１４ａ〜１４ｄの内容構成の自由度を高くしているため、ダイレクトメール等の目的に最適な内容構成を適宜に選択することで、広告宣伝効果を大幅に高めることが可能となっている。
【００３０】
また、本実施形態では、図１（ａ）に示されるように、第１ページ部１４ａの一部、第３ページ部１４ｃの一部、および裏表紙部１２ｂの内側面の一部が窓部１３を通して視認可能となるように、窓部１３を構成している。このため、受領者は、封筒兼用冊子１を開封する以前に、各ページ部１４ａ〜１４ｄの内容構成が充実したものであることを即座に認識できるようになっている。
【００３１】
次に、封筒兼用冊子１の製造方法について説明する。図３（ａ）および（ｂ）、図４（ａ）〜（ｄ）、ならびに図５（ａ）〜（ｃ）は、封筒兼用冊子１の製造方法を示した概略図である。
【００３２】
封筒兼用冊子１の製造では、まず、図３（ａ）に示されるように、所定の用紙からなる大判シート状素材２の表裏面に複数冊分の内容（図示省略）を、オフセット印刷機等によりまとめて印刷する。そして、同図（ｂ）に示されるように、１冊分のシート状素材３を、断裁機等により断裁し、切り出す。なお、大判シート状素材２における各シート状素材３の配列は、特に限定されるものではなく、大判シート状素材２およびシート状素材３の寸法や、印刷機および断裁機の仕様等に応じて適宜に決定すればよい。
【００３３】
１冊分のシート状素材３は、左側から順に、縦長の略長方形状の第１ページ部１４ａ、第２ページ部１４ｂ、第３ページ部１４ｃ、第４ページ部１４ｄ、裏表紙部１２ｂ、表表紙部１２ａおよびフラップ部１５が配置され、表表紙部１２ａ下部の左側（裏表紙部１２ｂ側）角部に略三角形状の窓部１３が切り欠かれた形状となっている。これら各部の高さは、定形郵便の寸法と略同一に構成されている。そして、表表紙部１２ａの横幅は定形郵便寸法と略同一に構成され、裏表紙部１２ｂの横幅は表表紙部１２ａの横幅よりも若干狭く構成されている。
【００３４】
各ページ部１４ａ〜１４ｄおよび裏表紙部１２ｂの横幅は、上述のように第１ページ部１４ａ、第２ページ部１４ｂ、第３ページ部１４ｃ、第４ページ部１４ｄ、裏表紙部１２ｂの順に徐々に広くなるように構成されている。また、フラップ部１５の横幅は、裏表紙部１２ｂに貼り付けて封筒兼用冊子１を封緘するために必要な糊代を確保できる幅に構成されている。
【００３５】
シート状素材３の各部の境界線には、冊子状に製本するための折り線が設定されている。本実施形態では、第１ページ部１４ａと第２ページ部１４ｂとの境界線を第１折り線２１に、第２ページ部１４ｂと第３ページ部１４ｃとの境界線を第２折り線２２に、第３ページ部１４ｃと第４ページ部１４ｄとの境界線を第３折り線２３に、第４ページ部１４ｄと裏表紙部１２ｂとの境界線を第４折り線２４に設定している。
【００３６】
さらに、表表紙部１２ａと裏表紙部１２ｂの境界線を第５折り線２５に設定し、表表紙部１２ａとフラップ部１５の境界線を第６折り線２６に設定している。また、第５折り線２５は小口部１１に対応する部分であるため、開封用ミシン目３０が第５折り線２５に沿って形成されている。なお、本実施形態では、幅の狭いフラップ部１５の曲折を容易にするために、第６折り線に沿って曲折用ミシン目３１を形成しているが、曲折用ミシン目３１を設けないようにしてもよい。
【００３７】
本実施形態では、専用の抜き型を使用することによって、これらの開封用ミシン目３０および曲折用ミシン目３１の形成、ならびに窓部１３の形成を、大判シート状素材２からのシート状素材３の断裁と同時に行うようにしている。但し、これに限定されるものではなく、開封用ミシン目３０の形成、曲折用ミシン目３１の形成、または窓部１３の形成を、大判シート状素材２からのシート状素材３の断裁とは別のタイミングで行うようにしてもよい。
【００３８】
なお、シート状素材３の方向は特に限定されるものではなく、本実施形態で示すシート状素材３の上下左右または表裏を入れ替えるようにしてもよい。また、シート状素材３の材質は特に限定されるものではなく、用紙以外にも、例えば各種樹脂や金属等の薄板や、樹脂フィルムや金属箔等を積層した積層フィルム等からシート状素材を構成するようにしてもよい。
【００３９】
封筒兼用冊子１の製造では、次に、切り出した１冊分のシート状素材３を、製本機等により各折り線２１〜２６に沿って順に曲折していく。この工程では、まず、図４（ａ）に示されるように、シート状素材３を第１折り線２１に沿って曲折し、第１ページ部１４ａを第２ページ部１４ｂに折り重ねる。
【００４０】
次に、同図（ｂ）に示されるように、第１折り線２１のときとは逆方向にシート状素材３を第２折り線２２に沿って曲折し、第１ページ部１４ａおよび第２ページ部１４ｂを第３ページ部１４ｃに折り重ねる。次に、同図（ｃ）に示されるように、第２折り線２２のときとは逆方向にシート状素材３を第３折り線２３に沿って曲折し、第１ページ部１４ａ、第２ページ部１４ｂおよび第３ページ部１４ｃを第４ページ部１４ｄに折り重ねる。そして、同図（ｄ）に示されるように、第３折り線２３のときとは逆方向にシート状素材３を第４折り線２４に沿って曲折し、第１ページ部１４ａ、第２ページ部１４ｂ、第３ページ部１４ｃおよび第４ページ部１４ｄを裏表紙部１２ｂに折り重ねる。
【００４１】
このように、本実施形態の製造方法では、まず、各ページ部１４ａ〜１４ｄを、第１ページ部１４ａから（第１折り線２１から）順に蛇腹状に折り畳んでいく。各ページ部１４ａ〜１４ｄは順に横幅が広くなっているため、１回の曲折ごとに折り幅を拡大しながら各ページ部１４ａ〜１４ｄを一端側から蛇腹状に折り畳むこととなる。
【００４２】
なお、第４ページ部１４ｄから（第４折り線２４）から順に各ページ部１４ａ〜１４ｄを折り畳んでいくようにしてもよい。この場合、１回の曲折ごとに折り幅を縮小しながら各ページ部１４ａ〜１４ｄを一端側から蛇腹状に折り畳むこととなる。
【００４３】
各ページ部１４ａ〜１４ｄを折り重ねたならば、次に、図５（ａ）に示されるように、各ページ部１４ａ〜１４ｄが内側になるように、シート状素材３を第５折り線２５に沿って曲折する。上述のように、表表紙部１２ａは裏表紙部１２ａよりも若干横幅が広いため、表表紙部１２ａとフラップ部１５の境界の第６折り線２６は、裏表紙部１２ｂ左端の第４折り線２４よりも若干左側に位置することとなる。
【００４４】
次に、糊塗布装置等によりフラップ部１５の表面、具体的には、第６折り線２６に沿って曲折した場合に裏表紙部１２ｂと対向する面に、糊を塗布する。なお、製本機等の仕様に応じて、もっと早い段階でフラップ部１５表面へ糊を塗布するようにしてもよい。
【００４５】
次に、同図（ｂ）に示されるように、シート状素材３を第６折り線２６に沿って曲折し、フラップ部１５を裏表紙部１２ｂに接着する。これにより、封筒兼用冊子１が冊子状に綴じられると共に封緘されることとなる。
【００４６】
最後に、同図（ｃ）に示されるように、上端部分および下端部分を断裁機等により裁ち落として形状を整え、定形郵便寸法に成形することで、封筒兼用冊子１が完成する。なお、形状が既に整っている場合には、上端部分および下端部分を断ち落とす必要はない。
【００４７】
このように、本実施形態の製造方法によれば、１枚のシート状素材３から容易に展開ページ付の封筒兼用冊子１を製造することができる。また、綴じ糸や針金等を使用するのではなく、フラップ部１５の糊付けのみによって冊子状に綴じるため、高価な中綴じ機等を必要とせず、低コストで高速に大量の展開ページ付の封筒兼用冊子１を製造することができる。
【００４８】
このため、例えば大量のダイレクトメールを発送するような場合であっても、少ないコストと手間で展開ページ付の封筒兼用冊子１を大量に準備することが可能となり、展開ページを利用した広告宣伝効果を最大限に活用することができる。
【００４９】
なお、本実施形態では、表表紙部１２ａの右下角部に窓部１３を設けているが、これに限定されるものではなく、その他の場所に窓部１３を設けるようにしてもよい。例えば、図６（ａ）に示されるように、表表紙部１２ａの右上角部にコーナーカットにより形成された窓部１３を設けるようにしてもよいし、同図（ｂ）に示されるように、表表紙部１２ａの右端中央部に窓部１３を設けるようにしてもよい。
【００５０】
次に、本発明の第２の実施形態について説明する。図７は、第２の実施形態に係る封筒兼用冊子６の概略図である。
【００５１】
同図に示されるように、封筒兼用冊子６は、第１の実施形態の封筒兼用冊子１において、第１ページ部１４ａに切取用ミシン目７０に囲まれた切離し領域７１を設けたものであり、その他の構成および製造方法は、封筒兼用冊子１と同様である。
【００５２】
これらの切離し領域７１には適宜の印刷が施されており、切離した後に例えば引換券や割引券等のクーポン券として使用することができるようになっている。すなわち、封筒兼用冊子６は、各種クーポン券を一体的に内蔵することが可能に構成されている。
【００５３】
このクーポン券を構成する切離し領域７１は、封筒兼用冊子６と一体的に構成されると共に封筒兼用冊子６内部に封緘されて収容された状態となるため、郵送中の脱落や紛失の恐れが無く、安全に各種クーポン券を宛先に送付することができる。なお、切離し領域７１を、その他の部分に設けるようにしてもよい。また、切離し領域７１を窓部１３から視認可能な領域に設け、切離し領域７１がアイキャッチとして機能するようにしてもよい。
【００５４】
封筒兼用冊子６の製造では、切離し領域７１を構成する切取用ミシン目７０の形成は、専用の抜き型を使用して、大判シート状素材２からのシート状素材３の断裁、および開封用ミシン目３０等の形成と同時に行うことが好ましい。このようにすることで、各種クーポン券を内蔵した展開ページ付の封筒兼用冊子６を、少ないコストと手間で大量に準備することが可能となる。
【００５５】
以上、本発明の実施の形態について説明したが、本発明の封筒兼用冊子およびその製造方法は、上記した実施の形態に限定されるものではなく、本考案の要旨を逸脱しない範囲内において種々変更を加え得ることは勿論である。
【産業上の利用可能性】
【００５６】
本発明の封筒兼用冊子およびその製造方法は、広告宣伝用のダイレクトメールを始め、各種案内状やパンフレット、カタログ等の分野で利用することができる。
【符号の説明】
【００５７】
１、６  封筒兼用冊子
２  大判シート状素材
３  １冊分のシート状素材
１２  封筒部
１３  窓部
１４  ページ部
１５  フラップ部
２１  第１折り線
２２  第２折り線
２３  第３折り線
２４  第４折り線
２５  第５折り線
２６  第６折り線
３０  開封用ミシン目
７０  切取り用ミシン目
７１  切離し領域
【図１】
2010274919.tif 000003
【図２】
2010274919.tif 000004
【図３】
2010274919.tif 000005
【図４】
2010274919.tif 000006
【図５】
2010274919.tif 000007
【図６】
2010274919.tif 000008
【図７】
2010274919.tif 000009